(57)【特許請求の範囲】
【請求項１】
ゴースト成分を含んでいるテレビチャンネルの電波を受信するチューナと、そのチューナから出力された映像信号のゴースト成分を除去する信号処理回路と、ゴースト成分が除去処理された映像信号と前記チューナから出力された音声信号とを、放送されていないチャンネルのテレビ電波に再変換する変調回路と、入力端子側より出力端子側に向けて受信電波を通過させるバイパス回路とを一つのケースに収めて構成される複数のゴースト除去装置を、アンテナで受信したテレビ電波をテレビ受像器に送り出す伝送線の途中に、直列接続したことを特徴とするゴースト除去装置を備えたテレビ受信設備。
【請求項２】
前記ゴースト除去装置が、バイパス回路と並列に、ＢＳ帯又はＣＳ帯用、又はＢＳ帯及びＣＳ帯両用の受信電波通過回路と電流通過回路とを設けた請求項１に記載のゴースト除去装置を備えたテレビ受信設備。
【発明の詳細な説明】
【０００１】
【発明の属する技術分野】
本発明は、アンテナで受信したテレビ電波からゴースト成分を除去してテレビ受像器に送り出すゴースト除去装置を備えたテレビ受信設備に関する。
【０００２】
【従来の技術】
テレビ電波は建物や山等の反射を受けて、受像器には幾重にも重なったり歪んだ画面が現れやすく、ＵＨＦ帯でも生じるが、特にＶＨＦ帯ではこのゴースト現象が顕著である。
ゴースト現象を少なく、或はなくすには、アンテナの位置や高さを変えたり、映像信号を処理するなどいろいろ試みられているが、アンテナを極端に高くしたからといってゴーストがなくなる保証はないし、立設位置を変更するにしても制約がある。
よって電気的に映像信号を処理することになるが、従来のゴースト除去装置は、ゴーストが除去処理された映像信号を、チューナが受信した放送チャンネルと同一のテレビチャンネルの電波で出力するものもあった。
【０００３】
【発明が解決しようとする課題】
従来のゴースト除去装置は、図３に例示の如く、アンテナから各テレビ受像器に受信電波を送り込むケーブル２２から分岐した分岐ケーブル２２ａに、ゴーストを含んでいるテレビチャンネルに適合するよう設定されたゴースト除去装置ｍを接続する一方、前記ケーブル２２に、ゴースト成分を含んでいるテレビチャンネルと同一のテレビチャンネル用電波去用のフィルタとしてのトラップ、或は帯域消去用フィルタ（ＢＥＦ）Ｆを接続し、それらの出力を混合器２３を介して混合して送り出すように配線しなくてはならないので、作業が面倒であった。
又、ゴースト波が単チャンネルのみであれば問題も少ないが、ゴースト波が多チャンネルに及ぶ場合、例えば３チャンネル分のゴーストの除去処理をするには、図４の（ａ）又は（ｂ）に例示するように、ＶＨＦ帯受信用アンテナ１７とＵＨＦ帯受信用アンテナ１８と、ＢＳ帯受信用アンテナ１９とで夫々受信したテレビ電波を混合器２０で混合し、各テレビ受像器２１，２１・・に送り込むケーブル２２に、分岐器２５，２５を介して分岐ヶーブル２２ａを接続し、その分岐ヶーブル２２ａに混合器２３と分配器２４とを介して三台のゴースト処理装置ｍ１，ｍ２，ｍ３を並列に、又は分岐器２５，２５・・のみを介してケーブル２０に直列に接続して設置することになるが、並列接続した場合は、幹線に接続されたフィルタＦＡとして前記ゴーストを除去処理する３チャンネル分の帯域消去機能を有したものが必要となるが、３チャンネル分の帯域を要求通りの特性で消去する性能のフィルタを製造することは極めて困難であるし、混合器２３や分配器２４での損失が大きくなって送り出される電波の出力レベル不足を招く。
又、ゴースト処理装置ｍ１，ｍ２，ｍ３を直列に接続した場合は、各チャンネル毎に設定されたフィルタＦ１，Ｆ２，Ｆ３の特性が相互干渉によって変化し、他のチャンネルや隣接チャンネル、更には隣々接チャンネルにまで悪影響を及ぼすので、その整合を取るための面倒な調整が必要となる。
更に、ゴースト成分を含んだ電波の画像とゴースト成分が除去された電波の画像を比較して効果を確認したり、一旦ゴーストの除去処理が完了したテレビチャンネルに再びゴーストが発生した場合に、ゴースト成分が除去される前の電波による画像を見ないことには、再調整が必要かどうかの診断もできない。
尚、他の方式として、映像搬送波周波数を受信チャンネルもしくは潜在同一チャンネルテレビ放送波の映像搬送波周波数と一致させる同期形式もあるが、回路構成が複雑でコストアップを招くと共に、ケーブル及びテレビ受像器に直接電波が飛び込むために、ケーブルが長いと前ゴースト現象を起こしやすい問題がある。
【０００４】
【課題を解決するための手段】
本発明は、ゴースト波が他のテレビチャンネルに及ぶ場合に、必要なチャンネル毎のゴースト除去装置を設置することにより、それら複数のテレビチャンネル電波からゴーストを除去し、ゴーストのない映像の鑑賞を可能とするゴースト除去装置を備えたテレビ受信設備の提供にあり、ゴースト成分を含んでいるテレビチャンネルの電波を受信するチューナと、そのチューナから出力された映像信号のゴースト成分を除去する信号処理回路、例えば放送局から送られてくるＧＣＲ信号を、受信側で歪んだＧＣＲ信号を抜き取ってそれと前記信号処理回路が持っているＧＣＲ信号とを比較してゴースト（反射）成分を検出し、これを打ち消すような処理をする回路と、ゴースト成分が除去処理された映像信号と前記チューナから出力された音声信号（例えば映像中間周波増幅回路の途中から分離されて音声検波回路に入り、４．５ＭＨｚのＦＭ変調された信号）とを、前記チューナで受信したテレビチャンネルと異なる放送されていないＶＨＦ帯又はＵＨＦ帯のチャンネルの電波に再変換する変調回路或は周波数変換器と、入力端子側より出力端子側に向けて受信電波を通過させるバイパス回路とを一つのケースに収めて構成される複数のゴースト除去装置を、アンテナで受信したテレビ電波をテレビ受像器に送り出す伝送線の途中に、直列接続したことを要旨とする。
前記ゴースト除去装置には、バイパス回路と並列に、ＢＳ帯又はＣＳ帯用の受信電波通過回路や電流通過回路を設けることができる。
【０００５】
【発明の実施の形態】
本発明に係るゴースト除去装置を備えたテレビ受信設備を、図面に基づいて説明する。
先ずゴースト除去装置について説明すると、ゴースト除去装置は図２のブロック図に示されるように、入力端子１と出力端子２との間に、チューナ３、信号処理回路４、変調回路５とが直列に接続されており、前記チューナ３は、コントローラ６を操作してＣＰＵ７からの信号により例えば第１チャンネルのテレビ電波がゴースト成分を含んでいるときは、その第１チャンネルの電波を受信してその映像信号及び音声信号を出力するようになっていて、信号処理回路４は、前記チューナ３から出力された映像信号に含まれているゴースト成分を除去し、ゴースト成分が除去処理された映像信号（直流から４．２ＭＨｚの信号）を出力する。前記変調回路５は、チューナ３から出力された音声信号と前記信号処理回路４から出力された映像信号とを、前記チューナ３が受信したテレビチャンネルと異なる放送されていないチャンネル（空きチャンネルともいう）、例えば第２８チャンネルの電波に変換して出力する。
【０００６】
又前記入力端子１とチューナ３との間、及び変調回路５と出力端子２との間には夫々電流の通過を阻止するコンデンサ８，９が介在され、それらコンデンサ８，９とチューナ３、又は変調回路５との間には、広帯域電気的特性を持った分岐器（分配器）１０ａ、１０ｂと分波器１１ａ及び混合器１１ｂとが配置され、前記分岐器１０ａ、１０ｂの分岐端子間は、バイパス回路１０によって前記チューナ３、信号処理回路４、変調回路５などを通過することなく結ばれ、又分波器１１ａの分波端子と混合器１１ｂの混合端子間はＢＳ帯又はＣＳ帯用、又は両用の受信電波通過回路１１で結ばれていて、前記バイパス回路１０の途中にはアンプ１２が取り付けられている。
前記前記分岐器１０ａ、１０ｂはＶＨＦ帯とＵＨＦ帯との電波をバイパスさせるものであるが、ＶＨＦ又はＵＨＦのいずれか一方のみでもかまわない。
又前記アンプ１２は、ＶＨＦ帯及びＵＨＦ帯の電波を増幅するもので、前記分岐器１０ａ、１０ｂ、分波器１１ａ、混合器１１ｂの損失を補償するために使用される。
尚、前記アンプ１２を、ＶＨＦ、ＵＨＦ、ＢＳ、ＣＳの各帯域の放送波を通過可能な広帯域（９０ＭＨｚ〜２ＧＨｚ）タイプとすれば、受信電波通過回路１１を省略することもできる。
更に、前記分波器１１ａ及び混合器１１ｂは、アンプ１２で歪が生じた場合、その歪による妨害を排除するフィルターの役割も果している。
又前記入出力端子１，２間は、高周波信号の通過を阻止して前段の受信コンバータ又は増幅器を動作させるために、出力端子２側より送り出された電力（直流又は交流）を通過させるためのフイルタ１３ａ，１３ａを介在させた電流通過回路１３によって接続されている。
【０００７】
更に入力側には、分波器１１ａと分岐器１０との間に入力レベル調整回路１４が設けられ、他方の出力側には、変調回路５と分岐器１０ｂとの間に出力レベル調整回路１５が設けられている。
前記入力レベル調整回路１４は、７０〜９０ｄＢμを適正入力レベルとした実施例の信号処理回路４でゴースト成分を除去する場合、放送波を適正なレベルに調整するためのもので、スルー、減衰、増幅の三回路をスイッチによって選択するセレクタとして構成され、放送波が７０〜９０ｄＢμの範囲内であればスルーを、オーバーするようであれば減衰を、又逆にレベルが小さすぎれば増幅といったように三段階に切り換え可能となっている。
前記ＣＰＵ７をコントローラ６で操作することによって、チューナ３で受信されるゴーストを成分を含んでいるテレビチャンネルや変調回路５で変換されるテレビチャンネルの変更とともに、ゴースト成分の除去処理が実行される。
そして前記チューナ３、信号処理回路４、変調回路５、バイパス回路１０、及び受信電波通過回路１１等総ての回路を一つのケース１６内に組み込むことによりゴースト除去装置Ｍが構成される。
【０００８】
このように構成されたゴースト除去装置は、例えば１，３，４の三つのテレビチャンネルのゴースト成分を除去しようとする場合には、図１に例示するように、ＶＨＦ帯受信用アンテナ１７とＵＨＦ帯受信用アンテナ１８と、ＢＳ帯受信用アンテナ１９とで夫々受信したテレビ電波を混合器２０で混合し、各テレビ受像器２１，２１・・に送り込むケーブル（同軸）２２の幹線に、三台のゴースト除去装置Ｍ１，Ｍ２，Ｍ３を直列に接続する。
このように接続すれば、ＶＨＦ帯とＵＨＦ帯の全チャンネルを含むテレビ電波はバイパス回路１０を通って各テレビ受像器２１，２１・・に送り込まれ、第１のゴースト除去装置Ｍ１において、信号処理部４でＶＨＦ帯の第１チャンネルの電波のゴースト成分を除去し、変調回路５にて前記ゴーストを成分を含んでいる前記第１チャンネルと異なる放送されていないチャンネルである第８チャンネルの電波に変換し、同様に、第２のゴースト除去装置Ｍ２で第３チャンネルの電波を第１０チャンネルに変換し、更に第３のゴースト除去装置Ｍ３で第４チャンネルの電波を第１２チャンネルに変換すれば、受像器側で、ＶＨＦ帯の第１チャンネル、第３チャンネル、第４チャンネルを選択すると、いずれもアンテナ側から送られたゴースト成分を含んでいる画像を映し出すが、ＶＨＦ帯の第８チャンネル、第１０チャンネル、第１２チャンネルを選択すれば、ゴースト成分を含まない画像を見ることができ、ゴーストが除去処理される前の画面と比較し、効果の確認もできる。
各ゴースト除去装置Ｍ１，Ｍ２，Ｍ３には、前記図２に例示したようにＢＳ帯又はＣＳ帯用の受信電波通過回路１１と電流通過回路１３とが設けられているので、ＢＳ帯のテレビ電波は、分波器１１ａからＢＳ帯又はＣＳ帯用、或はＢＳ帯及びＣＳ帯両用の受信電波通過回路１０を通り、混合器１０ｂでＶＨＦ帯とＵＨＦ帯のテレビ電波と再び混合されて各テレビ受像器２１，２１・・に送られ、ＢＳ帯受信用アンテナ１９のコンバータに供給される電流は、電流通過回路１３を介して送り込まれる。
【０００９】
前記各ゴースト除去装置で処理及び変換するするテレビチャンネルは、ＶＨＦ帯、ＵＨＦ帯に拘らず総てのチャンネルを対象とし、コントローラによってゴーストをなくしたいテレビチャンネルに変更できるし、変換されるテレビチャンネルも、空チャンネルの中から適宜選択すれば、現行放送の電波による干渉を受けることもない。
【００１０】
又本発明ゴースト除去装置を備えたテレビ受信設備は、個人住宅、マンションやアパートといった集合住宅、更には大規模な共同受信施設に設置できる。
又、複数のゴースト除去装置を構成する回路を１つのケースに組み込み、各受信するテレビチャンネル及び変換するテレビチャンネルを夫々固定式とした地域専用タイプの製品としても差し支えない。
【００１１】
尚実施例では、ケーブルにＣＳ帯域の受信アンテナが接続されていないが、ＣＳ帯用、或はＢＳ帯又及びＣＳ帯両用の受信電波通過回路及び電流通過回路を備えることによって、ＣＳ帯域の受信アンテナを増設した場合にも対応できる。
又逆に、ＢＳ帯又はＣＳ帯用の受信電波通過回路及び電流通過回路を省略し、ＶＨＦ帯とＵＨＦ帯専用の機種とすることもできる。
【００１２】
【発明の効果】
本発明によれば、ゴースト成分を除去したゴーストを成分を含んでいるテレビチャンネルの電波を、ゴーストを成分を含んでいるテレビチャンネルと異なるテレビチャンネルの電波に変換して送り出すのゴースト除去装置が直列に接続されているので、受像器側では変換された各テレビチャンネルを選択することによって、ゴーストのない画面を見ることができる。
そして前記ゴースト除去装置を直列に接続した場合には、装置相互間に分配器や混合器が介在されないので損失が少なく、出力される電波のレベル低下を招くのとがない。
又ＢＳ帯又はＣＳ帯用の受信電波通過回路や電流通過回路を設けることによって、ＢＳ帯又はＣＳ帯電波の受信にも対応できる。
【図面の簡単な説明】
【図１】本発明に係るゴースト除去装置を備えたテレビ受信設備の実施例を示す説明図である。
【図２】ゴースト除去装置を示すブロック図である。
【図３】従来例の説明図である。
【図４】従来例の説明図である。
【符号の説明】
１・・入力端子、２・・出力端子、３・・チューナ、４・・信号処理回路、５・・変調回路、６・・コントローラ、７・・ＣＰＵ、８，９・・コンデンサ、１０・・バイパス回路、１０ａ，１０ｂ・・分岐器、１１・・受信電波通過回路、１１ａ・・分波器、１１ｂ・・混合器、１２・・アンプ、１３・・電流通過回路、１３ａ・・フィルタ、１４・・入力レベル調整回路、１４ａ・・選択回路、１４ｂ・・セレクトスイッチ、１５・・出力レベル調整回路、１６，１６ａ，１６ｂ，１６ｃ・・ケース、１７・・ＶＨＦ帯受信用アンテナ、１８・・ＵＨＦ帯受信用アンテナ、１９・・ＢＳ帯受信用アンテナ、２０・・混合器、２１・・テレビ受像器、２２・・ケーブル、２２ａ・・分岐ケーブル、２３・・混合器、２４・・分配器、、２５・・分岐器、ｍ１，ｍ２，ｍ３・・（従来の）ゴースト除去装置、Ｆ，ＦＡ，Ｆ１，Ｆ２，Ｆ３・・テレビチャンネル用フィルタ、Ｍ，Ｍ１，Ｍ２，Ｍ３・・（本発明の）ゴースト除去装置。
【図１】
0003705451.tif 000002
【図２】
0003705451.tif 000003
【図３】
0003705451.tif 000004
【図４】
0003705451.tif 000005